(57)【要約】【課題】  この発明は、販売者がＣＤロム使用者の使用履歴をインターネットを介して入手し、営業活動を効率化すること課題とする。【解決手段】  第一発明は使用者のパソコンにＣＤを挿入するとＣＤ内のどのサービスに興味があるかの質問画面が表示され、使用者が質問に回答するとインターネットを介して販売者のパソコンにインターネットメールより回答が送付される。販売者は回答より使用者の興味を把握し営業活動に利用できる情報発信プログラム。【選択図】図１
2007172121.tif 000002
【特許請求の範囲】
【請求項１】
コンピュータの表示装置へ質問の回答の入力を指示する表示をさせる命令と入力された前記回答をeメールにより指定されたアドレスへ送付させる命令を有する情報配信プログラム
【請求項２】
コンピュータの表示装置へ質問の回答の入力しないとコンテンツを見る事が出来ない命令と、それを指示する表示をさせる命令と、入力された前記回答をeメールにより指定されたアドレスへ送付させる命令を有する情報配信プログラム
【請求項３】
コンピュータの表示装置へ質問の回答の入力を指示する表示をさせる命令と入力された前記回答をeメールにより指定されたアドレスへ送付させる命令を有する情報配信システム
【請求項４】
コンピュータの表示装置へ質問の回答の入力を指示する表示をさせる命令と入力された前記回答をeメールにより指定されたアドレスへの送付時にインターネットに繋がってなくても、次回インターネットに繋がった時に送付させる命令を有する情報配信システム
【請求項５】
コンピュータの表示装置へ質問の回答の入力を指示する表示をさせる命令と入力された前記回答をeメールにより指定されたアドレスへ送付させる命令を有する記録媒体
【発明の詳細な説明】
【技術分野】
【０００１】
この発明は、ＣＤロム使用時の利用履歴の情報提供プログラムに関する
【背景技術】
【０００２】
従来は、図３に示すように動画を見るだけである。以上の技術によれば、ＣＤロムの利用履歴を販売者が確認するには電話をするか、メールを送付する必要があった。  
【特許文献１】特開  ２００２−１６３５５８
【特許文献２】特開  ２００１−２９９０００
【発明の開示】
【発明が解決しようとする課題】
【０００３】
この発明は、販売者がＣＤロム使用者の使用履歴をインターネットメールを介して入手し、営業活動を効率化すること課題とする。
【課題を解決するための手段】
【０００４】
この第一発明は、使用者が販売者の製品内容が含まれているＣＤを、使用者のコンピュータに挿入すると質問メニューが表示され、前期質問に使用者が回答すると前記回答をeメールにより指定されたアドレスへ送付させる命令を有する情報配信プログラム。
第二発明は、使用者が販売者の製品内容等が含まれているＣＤを、使用者のコンピュータに挿入すると質問メニューが表示され、前期質問に使用者が回答しないとＣＤを閲覧する事が出来ない情報配信プログラム。
第三発明は、使用者が販売者の製品内容等が含まれているＣＤを使用者のコンピュータに挿入すると質問メニューが表示され、前期質問に使用者が回答すると前記回答をeメールにより指定されたアドレスへ送付させる命令を有する情報配信システム。
第四発明は、使用者が販売者の製品内容等が含まれているＣＤを、使用者のコンピュータに挿入すると質問メニューが表示され、前期質問に使用者が回答時点でインターネットに繋がっていなくても、次回インターネットに繋がった時に前記回答をeメールにより指定されたアドレスへ送付させる命令を有する情報配信プログラム。
第五発明は、使用者が販売者の製品内容等が含まれているＣＤを、使用者のコンピュータに挿入すると製品内容が表示され、表示後質問メニューが表示され、前期質問に使用者が回答すると前記回答をeメールにより指定されたアドレスへ送付させる命令を有する情報配信プログラム。
第六発明は、使用者が販売者の製品内容が含まれているＣＤを、使用者のコンピュータに挿入すると質問メニューが表示され、前期質問に使用者が回答すると前記回答をeメールにより指定されたアドレスへ送付させる命令を有する記録媒体。
例えば、販売者は芸術家でもよい。
例えば、販売者は作家でもよい。
例えば、販売者は学生でもよい。
例えば、質問はＣＤの内容を見る前、又は後のアンケートでもよい。
例えば、質問はＣＤの内容を見る前、又は後のテストでもよい。
例えば、製品内容は音楽や映画等の作品でも良い。
例えば、表示は、音声を含むものであっても良い。
例えば、表示をしないで音声のみでも良い。
例えば、ＣＤはＤＶＤ等の全ての記憶媒体であっても良い。
【発明の効果】
【０００５】
この発明によれば、ＣＤロムより回答内容をメールで送信可能とした為、電話・メール等によって使用者のＣＤ利用確認の必要がなくなったので営業活動の効率化が図られた。
また、使用者がインターネットに接続されていなくても、回答情報は次回インターネットに接続されるまでメールプログラムに保管される為、使用者のコンピュータがインターネットに接続されていなくても販売者は情報を入手出来る。
【発明を実施するための最良の形態】
【０００６】
「この発明の第一実施形態を図１に示す」
１−１情報提供プログラムがＣＤ(2-6)内の質問メニューを使用者のコンピュータ(2-1)を介して表示する。
１−２表示された質問に使用者(2-2)が回答するとＣＤ(2-6)の内容が表示されたメニューへ移動する。
１−３上記１−２と同時に入力された前記回答が使用者のパソコン(2-1)のメールプログラムによりインターネット(2-5)を介して販売会社のコンピュータ(2-3)へ送付される。
１−４販売会社(2-4)はメール配信元よりユーザー名を認識し、上記回答よりＣＤ内のどの上記内容に興味があるかを確認する事が出来る。
１−５上記回答により販売者(2-4)は使用者(2-2)の興味を把握と利用日時を特定する事が出来る為、営業活動を効率化する事が出来る。
「この発明の第二実施形態を図２に示す」
１−１情報提供プログラムがＣＤ(2-6)内の内容を使用者のコンピュータ(2-1)を介して表示する。
１−２上記内容を表示後、質問が表示される。
１−３表示された上記質問に使用者(2-2)が回答すると前記回答が使用者のパソコン(2-1)のメールプログラムによりインターネット(2-5)を介して販売会社のコンピュータ(2-3)へ送付される。
１−４販売会社(2-4)はメール配信元よりユーザー名を認識し、上記回答よりどのサービスに興味があるかを確認する事が出来る。
「この発明の第三実施形態を図３に示す」
１−１情報提供プログラムがＣＤ(2-6)内の質問メニューを使用者のコンピュータ(2-1)を介して表示する。
１−２表示された質問に使用者(2-2)が回答しないとＣＤ(2-6)の内容が表示されたメニューへ移動しない。
１−３使用者(2-2)が回答するとＣＤ(2-6)の内容が表示されたメニューへ移動する。
１−４上記１−２と同時に入力された前記回答が使用者のパソコン(2-1)のメールプログラムによりインターネット(2-5)を介して販売会社のコンピュータ(2-3)へ送付される。
１−５販売会社(2-4)はメール配信元よりユーザー名を認識し、上記回答よりＣＤ内のどの上記内容に興味があるかを確認する事が出来る。
１−６上記回答により販売者(2-4)は使用者(2-2)の興味を把握と利用日時を特定する事が出来る為、営業活動を効率化する事が出来る。
「この発明の第四実施形態を図４に示す」
１−１情報提供プログラムがＣＤ(2-6)内の質問メニューを使用者のコンピュータ(2-1)を介して表示する。
１−２表示された質問に使用者(2-2)が回答するとＣＤ(2-6)の内容が表示されたメニューへ移動する。
１−３上記１−２と同時に入力された前記回答が使用者のパソコン(2-1)のメールプログラムによりインターネット(2-5)に繋がっている場合はインターネットを介して販売会社のコンピュータ(2-3)へ送付される。
１−４前期質問に使用者が回答時点でインターネットに繋がっていなくても、次回インターネットに繋がった時に前記回答をeメールにより指定されたアドレスへ送付する。
１−５販売会社(2-4)はメール配信元よりユーザー名を認識し、上記回答よりＣＤ内のどの上記内容に興味があるかを確認する事が出来る。
１−６上記回答により販売者(2-4)は使用者(2-2)の興味を把握と利用日時を特定する事が出来る為、営業活動を効率化する事が出来る。
「この発明の第五実施形態を図５に示す」
１−１情報提供プログラムがＣＤ(2-6)内の内容リストを
使用者のコンピュータ(2-1)を介して表示する。
１−２使用者(2-2)が前記内容リストを選択する事により内容を表示する。
１−３前記内容の表示が終了すると質問が表示される。
１−４表示された質問に使用者(2-2)が回答するとＣＤ(2-6)の内容が表示されたメニューへ移動する。
１−５上記入力と同時に入力された前記回答が使用者のパソコン(2-1)のメールプログラムによりインターネット(2-5)を介して販売会社のコンピュータ(2-3)へ送付される。
１−６販売会社(2-4)はメール配信元よりユーザー名を認識し、上記回答よりＣＤ内のどの上記内容に興味があるかを確認する事が出来る。
１−７上記回答により販売者(2-4)は使用者(2-2)の興味を把握と利用日時を特定する事が出来る為、営業活動を効率化する事が出来る。
「この発明の第六実施形態を図６に示す」
１−１記録媒体であるＣＤ(2-6)が同ＣＤ内の質問メニューを使用者のコンピュータ(2-1)を介して表示する。
１−２表示された質問に使用者(2-2)が回答するとＣＤ(2-6)の内容が表示されたメニューへ移動する。
１−３上記１−２と同時に入力された前記回答が使用者のパソコン(2-1)のメールプログラムによりインターネット(2-5)を介して販売会社のコンピュータ(2-3)へ送付される。
１−４販売会社(2-4)はメール配信元よりユーザー名を認識し、上記回答よりＣＤ内のどの上記内容に興味があるかを確認する事が出来る。
１−５上記回答により販売者(2-4)は使用者(2-2)の興味を把握と利用日時を特定する事が出来る為、営業活動を効率化する事が出来る。
「この発明の第七実施形態を図７に示す」
１−１記録媒体であるＣＤ(2-6)内の内容リストを
使用者のコンピュータ(2-1)を介して表示する。
１−２使用者(2-2)が前記内容リストを選択する事により内容を表示する。
１−３前記内容の表示が終了すると質問が表示される。
１−４表示された質問に使用者(2-2)が回答するとＣＤ(2-6)の内容が表示されたメニューへ移動する。
１−５上記入力と同時に入力された前記回答が使用者のパソコン(2-1)のメールプログラムによりインターネット(2-5)を介して販売会社のコンピュータ(2-3)へ送付される。
１−６販売会社(2-4)はメール配信元よりユーザー名を認識し、上記回答よりＣＤ内のどの上記内容に興味があるかを確認する事が出来る。
１−７上記回答により販売者(2-4)は使用者(2-2)の興味を把握と利用日時を特定する事が出来る為、営業活動を効率化する事が出来る。
【０００７】
「他の実施形態」
図１−８の実施形態では、ＣＤロムであったが、他の実施形態では、ＤＶＤ、メモリースティック等のデータが保管出来る全てのメディアでも良い。移動とあるが、クリック後の起動、又はパスワード入力後の起動でも良い。
【図面の簡単な説明】
【０００８】
【図１】この発明の実施形態を示す図である。
【図２】この発明の実施形態を示す図である。
【図３】この発明の実施形態を示す図である。
【図４】この発明の実施形態を示す図である。
【図５】この発明の実施形態を示す図である。
【図６】この発明の実施形態を示す図である。
【図７】この発明の実施形態を示す図である。
【図８】従来技術を示す図である。
【符号の説明】
【０００９】
２−１  使用者のコンピュータ
２−２  CDの使用者
２−３  販売者のコンピュータ
２−４  使用者
２−５  インターネット
２−６  CDロム
【図１】
2007172121.tif 000003
【図２】
2007172121.tif 000004
【図３】
2007172121.tif 000005
【図４】
2007172121.tif 000006
【図５】
2007172121.tif 000007
【図６】
2007172121.tif 000008
【図７】
2007172121.tif 000009
【図８】
2007172121.tif 000010